(57)【要約】【課題】高品質の表示を得ることができる電気光学装置を提供する。【解決手段】本発明の電気光学装置は、複数の画素電極と、共通電極との間に電気光学層を挟持してなり、各々の前記画素電極に対応する画素ごとに保持容量が設けられ、前記保持容量の電極と接続された容量線と、前記画素電極及び前記共通電極並びに前記容量線の電位を制御する制御部と、を備えた電気光学装置であって、前記制御部は、前記画素が配列された表示部に画像を表示させる画像表示期間に、前記容量線の電位を前記共通電極との電位差が小さくなるように前記共通電極の電位に連動させて変更する容量線電位変更動作を実行することを特徴とする。【選択図】図６
2010244001.tif 000002
【特許請求の範囲】
【請求項１】
複数の画素電極と、共通電極との間に電気光学層を挟持してなり、各々の前記画素電極に対応する画素ごとに保持容量が設けられ、前記保持容量の電極と接続された容量線と、前記画素電極及び前記共通電極並びに前記容量線の電位を制御する制御部と、を備えた電気光学装置であって、
前記制御部は、前記画素が配列された表示部に画像を表示させる画像表示期間に、前記容量線の電位を前記共通電極との電位差が小さくなるように前記共通電極の電位に連動させて変更する容量線電位変更動作を実行することを特徴とする電気光学装置。
【請求項２】
前記制御部は、前記容量線電位変更動作において、前記容量線の電位を前記共通電極の電位と同期させて変更することを特徴とする請求項１に記載の電気光学装置。
【請求項３】
前記制御部は、前記容量線電位変更動作において、前記共通電極と前記容量線とを同電位とすることを特徴とする請求項１又は２に記載の電気光学装置。
【請求項４】
前記制御部は、前記容量線電位変更動作に先立って、前記保持容量の保持電荷の少なくとも一部を解放するディスチャージ動作を実行することを特徴とする請求項１から３のいずれか１項に記載の電気光学装置。
【請求項５】
前記ディスチャージ動作において、全ての前記画素電極が一括して同電位とされることを特徴とする請求項４に記載の電気光学装置。
【請求項６】
前記制御部は、前記表示部の一部の前記画素の階調を変更する際に、前記容量線電位変更動作を実行することを特徴とする請求項１から５のいずれか１項に記載の電気光学装置。
【請求項７】
前記制御部は、前記表示部の一部の前記画素の階調を変更する際に前記容量線電位変更動作を実行する一方、全ての前記画素の階調を変更する際には前記容量線を一定電位に保持することを特徴とする請求項１から６のいずれか１項に記載の電気光学装置。
【請求項８】
前記共通電極と前記容量線とが接続されていることを特徴とする請求項３から７のいずれか１項に記載の電気光学装置。
【請求項９】
前記共通電極と前記容量線とが絶縁されていることを特徴とする請求項１から７のいずれか１項に記載の電気光学装置。
【請求項１０】
前記容量線に接続された容量線駆動回路と、前記共通電極に接続された共通電極駆動回路とを備え、
前記容量線駆動回路は、前記容量線に供給する複数の電位を切り換えるスイッチ回路を有する一方、前記共通電極駆動回路は、前記共通電極に入力する電位波形を生成する波形生成回路と、前記波形生成回路に接続された電流増幅回路とを有することを特徴とする請求項９に記載の電気光学装置。
【請求項１１】
前記制御部は、前記表示部を単一の階調に変更させる画像消去動作において、
前記共通電極及び前記容量線に第１の電位を入力する一方、前記画素電極には前記第１の電位と異なる第２の電位を入力する電位入力動作と、
前記容量線に第３の電位を入力することで前記電気光学層への印加電圧を昇圧する昇圧動作と、
を実行することを特徴とする請求項９又は１０に記載の電気光学装置。
【請求項１２】
前記第３の電位が前記第２の電位に略等しいことを特徴とする請求項１１に記載の電気光学装置。
【請求項１３】
前記電気光学素子が電気泳動素子であることを特徴とする請求項１から１２のいずれか１項に記載の電気光学装置。
【請求項１４】
複数の画素電極と、共通電極との間に電気光学層を挟持してなり、各々の前記画素電極に対応する画素ごとに保持容量が設けられ、前記保持容量の電極に接続された容量線を備えた電気光学装置の駆動方法であって、
前記画素が配列された表示部に画像を表示させる画像表示期間に、前記容量線の電位を前記共通電極との電位差が小さくなるように前記共通電極の電位に連動させて変更する容量線電位変更ステップを有することを特徴とする電気光学装置の駆動方法。
【請求項１５】
前記容量線電位変更ステップに先立って、前記保持容量の保持電荷の少なくとも一部を解放するディスチャージステップを有することを特徴とする請求項１４に記載の電気光学装置の駆動方法。
【請求項１６】
前記ディスチャージステップにおいて、全ての前記画素電極を一括して同電位とすることを特徴とする請求項１５に記載の電気光学装置の駆動方法。
【請求項１７】
前記表示部の一部の前記画素の階調を変更する際に前記容量線電位変更ステップを実行する一方、全ての前記画素の階調を変更する際には前記容量線を一定電位に保持することを特徴とする請求項１４から１６のいずれか１項に記載の電気光学装置の駆動方法。
【請求項１８】
請求項１から１３のいずれか１項に記載の電気光学装置を備えたことを特徴とする電子機器。
【発明の詳細な説明】
【技術分野】
【０００１】
本発明は、電気光学装置とその駆動方法、及び電子機器に関するものである。
【背景技術】
【０００２】
電気泳動表示装置において、共通電極の電位を変更することにより駆動電圧を必要以上に高くしない駆動方法（ＣＯＭ振り駆動）が公知である（例えば特許文献１参照）。また、アクティブマトリクス型の液晶表示装置や電気泳動表示装置の画素回路としては、画素ごとにスイッチング素子とキャパシタとを設ける１Ｔ１Ｃ型の画素回路が一般的に利用されていた。
【先行技術文献】
【特許文献】
【０００３】
【特許文献１】特開２００２−１４９１１５号公報
【発明の概要】
【発明が解決しようとする課題】
【０００４】
しかしながら、１Ｔ１Ｃ型の画素回路を用いた電気泳動表示装置に対してＣＯＭ振り駆動を適用すると、以下のような課題が発生する。
図１１は、従来公知の１Ｔ１Ｃ型の画素回路を示す図であり、図１２は、従来の画素回路における電位波形を示す図である。
【０００５】
図１１に示す画素回路では、選択トランジスタ２１がオンすると、データ線Ｓからの画像信号に基づく電位が保持容量２２に保持され、選択トランジスタ２１がオフした後も保持容量２２によって保持された電位に基づく駆動電圧により電気泳動素子２６が駆動される。
電気泳動素子２６には、直流電圧を印加したときに印加した直流電圧に応じたリーク電流が流れるという特性がある。したがって電気泳動素子２６は、画素電極２４と共通電極２５との間に接続された抵抗成分と見なすことができる。
【０００６】
図１２において、実線は共通電極２５に印加される共通電極電位を示し、破線は画素電極２４に現れる電位を示している。選択トランジスタ２１をオフした状態で、ＣＯＭ振り駆動を行うために共通電極電位を相対的に低電位の電位ＶＬと相対的に高電位の電位ＶＨとの間で変更すると、画素電極電位には、電気泳動素子２６の抵抗成分及び保持容量の値に依存した遅延が発生し、破線で示すような電位波形が画素電極２４に現れる。すると、図１２に示す期間Ｘ１、Ｘ２において、画素電極２４と共通電極２５との間に短時間ではあるが小さな電位差（図１２の模様を付した部分）が生じ、電圧閾値を持たない電気泳動粒子が駆動され、表示状態が変化してしまう。
【０００７】
具体的には、共通電極波形の電位ＶＬから電位ＶＨの立ち上がり時の期間Ｘ１において、共通電極電位が画素電極電位よりも相対的に高くなるため、負に帯電した粒子（白色粒子）が共通電極２５側に泳動し、全体に白っぽい表示状態となる。
また、共通電極波形の電位ＶＨから電位ＶＬへの立ち下がり時の期間Ｘ２において、対向電極電位が画素電極電位よりも相対的に低くなるため、正に帯電した粒子（黒色粒子）が共通電極２５側に泳動し、全体的に黒っぽい表示状態となる。いずれにせよ、意図しない表示劣化が発生してしまうという課題があった。
【０００８】
また、図１２に示した期間Ｘ１、Ｘ２における電位差は、全画素に対して同時に発生する。そのため、走査線Ｇを順次選択して表示部を走査しつつ画素に電位を書き込んだ後、共通電極２５の電位を変更する場合に、表示部内でコントラスト差が発生してしまう問題があった。つまり、表示部内の最初の方に選択される画素については、電位を書き込まれた後に電気泳動素子を駆動する十分な時間を確保することができるが、最後の方に選択される画素では、電位を書き込まれた後すぐに共通電極電位が変更されると、画素電極２４と共通電極２５との電位差が小さくなって電気泳動素子が十分に応答しない。そのために、表示部内にコントラストの分布が生じていた。また、表示部の上下で電圧印加履歴に差異が生じるため、電気泳動素子の劣化を招いてしまう可能性があった。
【０００９】
この課題は、表示部の一部のみの表示書き換え（部分書き換え）を行う際に顕著となる。電気泳動素子のような双安定性（メモリー性）の表示素子では、電圧を印加しなくても表示状態を維持できるため、カーソル移動やペンなどによる手書き入力の際、表示を更新したい領域のみを駆動することで表示を高速化することが可能である。しかしながら、一般的に共通電極２５は表示部全体にベタ状に設けられているため、共通電極電位を変更すると、更新したくない領域の画像に劣化が生じてしまう。
このように、双安定性の表示素子を備えた電気光学装置では、表示書き換え時において画像が劣化してしまうという課題があった
【００１０】
本発明は、上記従来技術の問題点に鑑み成されたものであって、高品質の表示を得ることができる電気光学装置とその駆動方法を提供することを目的の一つとする。
【課題を解決するための手段】
【００１１】
本発明の電気光学装置は、複数の画素電極と、共通電極との間に電気光学層を挟持してなり、各々の前記画素電極に対応する画素ごとに保持容量が設けられ、前記保持容量の電極と接続された容量線と、前記画素電極及び前記共通電極並びに前記容量線の電位を制御する制御部と、を備えた電気光学装置であって、前記制御部は、前記画素が配列された表示部に画像を表示させる画像表示期間に、前記容量線の電位を前記共通電極との電位差が小さくなるように前記共通電極の電位に連動させて変更する容量線電位変更動作を実行することを特徴とする。
【００１２】
この構成によれば、共通電極の電位を変更する際に保持容量の一方の電極の電位を共通電極電位に近づけるので、保持容量の充電量の変化を小さくすることができ、画素電極の波形遅延を抑制することができる。したがって、ＣＯＭ振り駆動に伴う電気光学層への意図しない電圧印加を抑制することができる。その結果、画像の劣化を抑制することができるとともに、表示部でのコントラスト差の発生を抑えることができる。また、表示部の上下で電気光学層の電圧印加履歴に差異が生じるのを防止でき、電気光学層の劣化を抑制することができる。
【００１３】
前記制御部は、前記容量線電位変更動作において、前記容量線の電位を前記共通電極の電位と同期させて変更することが好ましい。
この構成によれば、容量線電位と共通電極電位との変更タイミングが一致するので、画素電極の波形遅延が生じる期間を無くすことができ、画像の劣化をより確実に防止することができる。
【００１４】
前記制御部は、前記容量線電位変更動作において、前記共通電極と前記容量線とを同電位とすることが好ましい。
この構成によれば、共通電極電位の変動幅と容量線電位の変動幅が一致するので、画素電極の波形遅延による電位差を無くすことができ、画像の劣化をより確実に防止することができる。
【００１５】
前記制御部は、前記容量線電位変更動作に先立って、前記保持容量の保持電荷の少なくとも一部を解放するディスチャージ動作を実行することが好ましい。
この構成によれば、容量線電位を変更したときに画素電極電位が過大に高くなるのを防止することができ、画素スイッチング素子等の破損や電気光学層の誤動作を防止することができる。
【００１６】
前記ディスチャージ動作において、全ての前記画素電極が一括して同電位とされることが好ましい。
この構成によれば、短時間にディスチャージ動作を完了することができる。
【００１７】
前記制御部は、前記表示部の一部の前記画素の階調を変更する際に、前記容量線電位変更動作を実行することが好ましい。
この構成によれば、特に表示品質上の問題が発生しやすい部分書き換え動作において、部分書き換え領域以外の表示部において画像が劣化するのを防止することができる。
【００１８】
前記制御部は、前記表示部の一部の前記画素の階調を変更する際に前記容量線電位変更動作を実行する一方、全ての前記画素の階調を変更する際には前記容量線を一定電位に保持することが好ましい。
この構成によれば、部分書き換え動作においてすでに表示されている画像が劣化するのを防止しつつ、低消費電力かつ高速な全画面書き換え動作を実現することができる。
【００１９】
前記共通電極と前記容量線とが接続されていることが好ましい。
この構成によれば、１つの駆動回路を用いて共通電極と容量線に電位を供給することができるので、簡素な構成の電気光学装置を実現できる。
【００２０】
前記共通電極と前記容量線とが絶縁されていることも好ましい。
この構成によれば、共通電極に電位を供給する駆動回路と容量線に電位を供給する駆動回路を別々に設けることができるので、駆動回路に過大な負荷がかかるのを回避することができる。
【００２１】
前記容量線に接続された容量線駆動回路と、前記共通電極に接続された共通電極駆動回路とを備え、前記容量線駆動回路は、前記容量線に供給する複数の電位を切り換えるスイッチ回路を有する一方、前記共通電極駆動回路は、前記共通電極に入力する電位波形を生成する波形生成回路と、前記波形生成回路に接続された電流増幅回路とを有することが好ましい。
この構成によれば、共通電極に対して任意の電位を十分な電流供給能力をもって供給可能になるとともに、容量線駆動回路を小型化、低消費電力化することができる。
【００２２】
前記制御部は、前記表示部を単一の階調に変更させる画像消去動作において、前記共通電極及び前記容量線に第１の電位を入力する一方、前記画素電極には前記第１の電位と異なる第２の電位を入力する電位入力動作と、前記容量線に第３の電位を入力することで前記電気光学層への印加電圧を昇圧する昇圧動作と、を実行することが好ましい。
共通電極と容量線とが絶縁されている場合、各々に異なる電位を入力することが可能になる。例えば上記の構成では、画像消去動作において、画素電極及び共通電極への電位入力後に、容量線の電位を変化させることで保持容量に接続された画素電極の電位を変動させ、これにより電気光学層に印加する電圧を大きくすることができる。これにより、画像消去動作を迅速に実行することができる電気光学装置を、高電位の電源を設けることなく実現することができる。また、電気光学層に印加されることとなる上記の大きな電圧を外部から直接印加する場合と比較して、共通電極、画素電極、又は容量線に入力する電位を低く抑えることができるため、電気光学装置全体の消費電力を低減することができる。
【００２３】
また、前記第３の電位が前記第２の電位に略等しいことも好ましい。この構成によれば、昇圧動作によって電位入力動作時の約２倍の電圧を電気光学層に印加することができる。また、電源には第１の電位と第２の電位の２種類を用意すればよいため、簡素な構成の電源で実現可能である。
【００２４】
前記電気光学素子が電気泳動素子であることが好ましい。この構成によれば、表示品質に優れた電気泳動表示装置を提供することができる。
【００２５】
本発明の電気光学装置の駆動方法は、複数の画素電極と、共通電極との間に電気光学層を挟持してなり、各々の前記画素電極に対応する画素ごとに保持容量が設けられ、前記保持容量の電極に接続された容量線を備えた電気光学装置の駆動方法であって、前記画素が配列された表示部に画像を表示させる画像表示期間に、前記容量線の電位を前記共通電極との電位差が小さくなるように前記共通電極の電位に連動させて変更する容量線電位変更ステップを有することを特徴とする。
【００２６】
この駆動方法によれば、共通電極の電位を変更する際に保持容量の一方の電極の電位を共通電極電位に近づけるので、保持容量の充電量の変化を小さくすることができ、画素電極の波形遅延を抑制することができる。したがって、ＣＯＭ振り駆動に伴う電気光学層への意図しない電圧印加を抑制することができる。その結果、画像の劣化を抑制することができるとともに、表示部でのコントラスト差を抑えることができる。また、表示部の上下で電気光学層の電圧印加履歴に差異が生じるのを防止でき、電気光学層の劣化を抑制することができる。
【００２７】
前記容量線電位変更ステップに先立って、前記保持容量の保持電荷の少なくとも一部を解放するディスチャージステップを有することが好ましい。
この駆動方法によれば、容量線電位を変更したときに画素電極電位が過大に高くなるのを防止することができ、画素スイッチング素子等の破損や電気光学層の誤動作を防止することができる。
【００２８】
前記ディスチャージステップにおいて、全ての前記画素電極を一括して同電位とすることが好ましい。
この駆動方法によれば、短時間にディスチャージ動作を完了することができる。
【００２９】
前記表示部の一部の前記画素の階調を変更する際に前記容量線電位変更ステップを実行する一方、全ての前記画素の階調を変更する際には前記容量線を一定電位に保持することも好ましい。
この駆動方法によれば、部分書き換え動作においてすでに表示されている画像が劣化するのを防止しつつ、低消費電力かつ高速な全画面書き換え動作を実現することができる。
【００３０】
本発明の電子機器は、先に記載の電気光学装置を備えたことを特徴とする。
この構成によれば、表示品質に優れた表示手段を具備した電子機器を提供することができる。
【図面の簡単な説明】
【００３１】
【図１】実施形態に係る電気泳動表示装置の概略構成を示す図。
【図２】実施形態に係る表示体の回路ブロック図。
【図３】電気泳動表示装置の要部の詳細を示す図。
【図４】表示体の部分断面図。
【図５】マイクロカプセルの模式断面図。
【図６】実施形態に係る駆動方法のフローチャート。
【図７】実施形態の駆動方法における表示部の状態遷移を示す説明図。
【図８】図６に対応するタイミングチャート。
【図９】画素回路の変形例を示す図。
【図１０】電子機器を例示した図。
【図１１】従来の画素回路を示す図。
【図１２】従来の電気泳動表示装置における電位波形を示す図。
【図１３】白消去動作及び黒消去動作を示すフローチャート。
【発明を実施するための形態】
【００３２】
以下、図面を用いて本発明の電気光学装置について説明する。
なお、本発明の範囲は、以下の実施の形態に限定されるものではなく、本発明の技術的思想の範囲内で任意に変更可能である。また、以下の図面においては、各構成をわかりやすくするために、実際の構造と各構造における縮尺や数等を異ならせている。
【００３３】
図１は、本発明に係る電気光学装置の一実施形態である電気泳動表示装置の概略構成を示す図である。図２は、本実施形態に係る表示体の回路ブロック図である。図３は、電気泳動表示装置の要部の詳細を示す図である。
【００３４】
図１に示す電気泳動表示装置１は、表示体２と、コントローラー３と、ＶＲＡＭ（Video Random Access Memory）４と、共通電極駆動回路５と、容量線駆動回路６とを備えている。
表示体２は、コントローラー３からの制御信号と、共通電極駆動回路５からの電圧供給を受け、画像を表示する。表示体２には、表示部Ａと、走査線駆動回路１１と、データ線駆動回路１２とが形成されている。
コントローラー３は、電気泳動表示装置１の制御部であり、表示すべき画像データをＶＲＡＭ４から受け取り、表示体２を制御して画像を表示させる。具体的には、共通電極駆動回路５及び容量線駆動回路６、並びに表示体２に設けられた走査線駆動回路１１及びデータ線駆動回路１２等を制御する。コントローラー３は、例えば、クロック信号、スタートパルス等のタイミング信号や画像データを含む制御信号を各回路に供給する。
ＶＲＡＭ４は、フラッシュメモリー等の記憶部（図示は省略）に記憶された画像データから、表示部に次に表示させる１枚分を一時的に保存するために用いられる。
共通電極駆動回路５は、表示体２に設けられた共通電極２５（図２参照）と接続されており、任意の共通電極電位Ｖcomを共通電極２５に供給する。
容量線駆動回路６は、表示体２に設けられた容量線Ｃ（図２参照）と接続されており、任意の容量線電位Ｖｓｓを容量線Ｃに供給する。
【００３５】
表示体２の表示部Ａには、図２に示すように、Ｘ軸方向に延在する複数の走査線Ｇ１、Ｇ２、…、Ｇｍと、Ｙ軸方向に延在する複数のデータ線Ｓ１、Ｓ２、…、Ｓｎとが形成されている。走査線Ｇとデータ線Ｓとの交差部に対応して画素１０が形成され、各々の画素１０に走査線Ｇとデータ線Ｓとが接続されている。画素１０は、Ｙ軸方向に沿ってｍ個、Ｘ軸方向に沿ってｎ個のマトリクス状に配列されている。
また表示部Ａには、共通電極駆動回路５と接続された共通電極２５と、容量線駆動回路６と接続された容量線Ｃとが形成されている。
なお、本明細書では、各配線の全体を表す場合や、配線の順番（位置）の指定がない場合には、走査線Ｇ、データ線Ｓという表現を用いる。
【００３６】
ここで、図３（ａ）は、本実施形態に係る画素回路図である。
画素１０には、画素スイッチング素子としての選択トランジスタ２１と、保持容量２２と、画素電極２４と、共通電極２５と、電気泳動素子２６（電気光学層）とが形成されている。
選択トランジスタ２１はＮ型ＭＯＳ（Metal Oxide Semiconductor）ＴＦＴで構成されている。選択トランジスタ２１のゲート端には走査線Ｇ、ソース端にはデータ線Ｓ、ドレイン端には保持容量２２の一方の電極と画素電極２４とがそれぞれ接続されている。
保持容量２２は、後述する素子基板上に形成され、誘電体膜を介して対向配置された一対の電極からなる。保持容量２２の一方の電極は選択トランジスタ２１に接続され、他方の電極は容量線Ｃに接続されている。保持容量２２によって選択トランジスタ２１を介して書き込まれた画像信号を一定期間だけ維持することができる。
電気泳動素子２６は、電気泳動粒子をそれぞれ含んでなる複数のマイクロカプセルから構成されている。
【００３７】
図２に示す走査線駆動回路１１は、表示部Ａに形成された走査線Ｇと接続されており、各々の走査線Ｇを介してそれぞれ対応する画素行の画素１０に接続されている。
走査線駆動回路１１は、コントローラー３から供給されるタイミング信号に基づいて、走査線Ｇ１、Ｇ２、…、Ｇｍの各々に選択信号をパルス状に順次供給し、走査線Ｇの一本一本を排他的に順次選択状態にする。選択状態とは、走査線Ｇに接続される選択トランジスタ２１がオンしている状態を指す。
【００３８】
データ線駆動回路１２は、表示部Ａに形成されたデータ線Ｓと接続されており、各々のデータ線Ｓを介してそれぞれ対応する画素列の画素１０に接続されている。
データ線駆動回路１２は、コントローラー３から供給されるタイミング信号に基づいて、データ線Ｓ１、Ｓ２、…、Ｓｎに画像信号を供給する。本実施形態では説明を容易にするため、画像信号はハイレベルの電位ＶＨ（例えば１５Ｖ）又はローレベルの電位ＶＬ（例えば０Ｖ）の２値的な電位をとるものとする。なお、本実施形態では、白色が表示されるべき画素１０に対してローレベルの画像信号（電位ＶＬ）が供給され、黒色が表示されるべき画素１０に対してハイレベルの画像信号（電位ＶＨ）が供給される。
【００３９】
共通電極２５には、共通電極駆動回路５から共通電極電位Ｖcomが供給される。本実施形態の場合、共通電極駆動回路５は、図３（ｂ）に示すように、ＤＡＣ５１（波形生成回路）と、オペアンプ５２（電流増幅回路）とを備えて構成されている。ＤＡＣ５１は、入力された設定信号Ｖｓｅｔから電位波形を生成するＤ／Ａコンバータである。ＤＡＣ５１から出力された電位波形は、オペアンプ５２で電流増幅され、共通電極２５に供給される。共通電極駆動回路５では、ＤＡＣ５１により任意の電位波形を生成できるため、共通電極電位Ｖcomを、画素１０に書き込む階調に応じて変化させることもできる。
なお、後述する駆動方法の説明では、説明の簡単のために、共通電極電位Ｖcomはローレベルの電位ＶＬ（例えば０Ｖ）、又はハイレベルの電位ＶＨ（例えば１５Ｖ）の２値的な電位をとるものとしている。
【００４０】
容量線Ｃには、容量線駆動回路６から容量線電位Ｖｓｓが供給される。本実施形態の場合、容量線駆動回路６は、図３（ｃ）に示すように、排他的に動作する２つのスイッチング素子６１、６２を備えたスイッチ回路６０として構成されている。スイッチング素子６１は、ハイレベル（ＶＨ）の電源から供給される電位を出力端子に対してスイッチングする。一方、スイッチング素子６２はローレベル（ＶＬ）の電源から供給される電位を出力端子に対してスイッチングする。スイッチング素子６１、６２の制御端子には、選択信号ＳＥＬ及び反転選択信号ＸＳＥＬがそれぞれ入力され、スイッチング素子６１とスイッチング素子６２とが排他的に動作する。
なお、本実施形態では、説明の簡単のために、ローレベルの電位ＶＬ（例えば０Ｖ）、又はハイレベルの電位ＶＨ（例えば１５Ｖ）を容量線電位Ｖｓｓとして出力するとしているが、スイッチング素子６１、６２に接続する電源の電位を変更することで、任意の容量線電位Ｖｓｓを出力することが可能である。
【００４１】
図４は、表示体の部分断面図である。
表示体２は、図４に示すように、素子基板２８と対向基板２９との間に電気泳動素子２６が挟持された構成を備えている。なお、本実施形態では、対向基板２９側に画像を表示することを前提として説明する。
【００４２】
素子基板２８は、例えばガラスやプラスチック等からなる基板である。素子基板２８上には、上述した選択トランジスタ２１、保持容量２２、走査線Ｇ、データ線Ｓ、容量線Ｃなどが作り込まれた積層構造が形成されている。この積層構造の上層側に複数の画素電極２４がマトリクス状に形成されている。
対向基板２９は、例えばガラスやプラスチック等からなる透明な基板である。対向基板２９における素子基板２８側には、共通電極２５が複数の画素電極２４と対向してベタ状に形成されている。共通電極２５は、例えばマグネシウム銀（ＭｇＡｇ）、インジウム錫酸化物（ＩＴＯ）、インジウム亜鉛酸化物等の透明導電材料により形成されている。
【００４３】
電気泳動素子２６は、電気泳動粒子をそれぞれ含んでなる複数のマイクロカプセル８０から構成されている。複数のマイクロカプセル８０は、例えば樹脂等からなるバインダー３０及び接着層３１によって素子基板２８及び対向基板２９間で固定されている。
なお、表示体２は、電気泳動素子２６が予め対向基板２９側にバインダー３０によって固定されてなる電気泳動シートと、当該電気泳動シートとは別途製造され、画素電極２４等が形成された素子基板２８とを、接着層３１により接着することで製造されている。
マイクロカプセル８０は、画素電極２４及び共通電極２５間に挟持され、１つの画素１０内に（言い換えれば１つの画素電極２４に対して）１つ又は複数配置されている。
【００４４】
図５は、マイクロカプセルの模式断面図である。
図５において、マイクロカプセル８０は、被膜８５の内部に分散媒８１と、複数の白色粒子８２と、複数の黒色粒子８３とが封入された構成を備える。マイクロカプセル８０は、例えば、５０μｍ程度の粒径を有する球状に形成されている。なお、白色粒子８２及び黒色粒子８３は、本発明に係る「電気泳動粒子」の一例である。
被膜８５は、マイクロカプセル８０の外殻として機能し、ポリメタクリル酸メチル、ポリメタクリル酸エチル等のアクリル樹脂、ユリア樹脂、アラビアガム、ゼラチン等の透光性を有する高分子樹脂から形成されている。
分散媒８１は、白色粒子８２及び黒色粒子８３をマイクロカプセル８０内（言い換えれば被膜８５内）に分散させてなる媒質である。分散媒８１としては、水、アルコール系溶媒（メタノール、エタノール、イソプロパノール、ブタノール、オクタノール、メチルセルソルブなど）、エステル類（酢酸エチル、酢酸ブチルなど）、ケトン類（アセトン、メチルエチルケトン、メチルイソブチルケトンなど）、脂肪族炭化水素（ぺンタン、ヘキサン、オクタンなど）、脂環式炭化水素（シクロへキサン、メチルシクロへキサンなど）、芳香族炭化水素（ベンゼン、トルエン、長鎖アルキル基を有するベンゼン類（キシレン、ヘキシルベンゼン、ヘブチルベンゼン、オクチルベンゼン、ノニルベンゼン、デシルベンゼン、ウンデシルベンゼン、ドデシルベンゼン、トリデシルベンゼン、テトラデシルベンゼンなど））、ハロゲン化炭化水素（塩化メチレン、クロロホルム、四塩化炭素、１，２−ジクロロエタンなど）、カルボン酸塩などを例示することができ、その他の油類であってもよい。これらの物質は単独又は混合物として用いることができ、さらに界面活性剤などを配合してもよい。
【００４５】
白色粒子８２は、例えば、二酸化チタン、亜鉛華、三酸化アンチモン等の白色顔料からなる粒子（高分子あるいはコロイド）であり、例えば負に帯電されて用いられる。黒色粒子８３は、例えば、アニリンブラック、カーボンブラック等の黒色顔料からなる粒子（高分子あるいはコロイド）であり、例えば正に帯電されて用いられる。
これらの顔料には、必要に応じ、電解質、界面活性剤、金属石鹸、樹脂、ゴム、油、ワニス、コンパウンドなどの粒子からなる荷電制御剤、チタン系カップリング剤、アルミニウム系カップリング剤、シラン系カップリング剤等の分散剤、潤滑剤、安定化剤などを添加することができる。
また、白色粒子８２又は黒色粒子８３に代えて、例えば赤色、緑色、青色などの顔料を用いてもよい。かかる構成によれば、表示部に赤色、緑色、青色などを表示することができる。
【００４６】
［駆動方法］
図６は、本実施形態に係る電気泳動表示装置の駆動方法における処理の流れを示すフローチャートである。図７は、本実施形態の駆動方法における表示部Ａの状態遷移を示す説明図である。図８は、図６に対応するタイミングチャートである。
なお、図８において、「Ｖｐ１」はステップＳ１０７において黒表示される画素１０の画素電極２４に入力される電位を示し、「Ｖｐ２」はステップＳ１０７において白表示される画素１０の画素電極２４に入力される電位を示す。
【００４７】
なお、本実施形態では、電気泳動粒子の白色粒子８２がマイナス、黒色粒子８３がプラスに帯電しているものとして説明を進める。したがって、画素電極２４と共通電極２５にローレベルの電位ＶＬ（０Ｖ）とハイレベルの電位ＶＨ（１５Ｖ）のいずれか一方の電位を入力して駆動を行う場合に、Ｖcomをハイレベル（ＶＨ；１５Ｖ）にすると、画素電極２４がローレベル（ＶＬ；０Ｖ）である画素１０は白表示動作し、画素電極２４がハイレベル（ＶＨ；１５Ｖ）である画素１０の表示は変化しない。一方、Ｖcomをローレベル（ＶＬ；０Ｖ）にすると、画素電極２４がハイレベル（ＶＨ；１５Ｖ）である画素１０は黒表示動作し、画素電極２４がローレベル（ＶＬ；０Ｖ）である画素１０の表示は変化しない。
【００４８】
本実施形態の駆動方法は、図６に示すステップＳ１０１〜Ｓ１０８により表示部Ａに画像を表示させる画像表示動作に関するものである。したがって、例えばユーザーによって不図示のボタンが押されるなどによりコントローラー３が表示体駆動開始命令を受信すると、図示のステップＳ１０１〜Ｓ１０８が順次実行される。
【００４９】
まず、画像表示動作に先立って、ステップＳ１０１、Ｓ１０２により保持容量２２のディスチャージ動作が実行される。
ステップＳ１０１では、図８に示すように、共通電極電位Ｖcomと容量線電位Ｖｓｓがローレベル（ＶＬ；０Ｖ）に設定される。具体的には、コントローラー３の制御のもと、共通電極駆動回路５から共通電極２５に０Ｖ（ＶＬ）が入力され、容量線駆動回路６から容量線Ｃに０Ｖ（ＶＬ）が入力される。
その上で、ステップＳ１０２において、表示部Ａの全ての画素電極２４にローレベルの電位ＶＬが入力される。具体的には、コントローラー３の制御のもと、走査線駆動回路１１により順次走査線Ｇが選択され、選択された走査線Ｇに接続された画素１０の画素電極２４に、データ線駆動回路１２から供給される電位ＶＬの画像信号が入力される。
以上の動作により、全ての画素１０の保持容量２２の一対の電極がいずれもローレベル（ＶＬ）となり、保持容量２２に蓄積されていた電荷が解放される。
【００５０】
なお、ステップＳ１０２では、画素電極２４への電位入力を、上記のように１ラインずつ（１本の走査線Ｇごとに）順次行ってもよいが、全ての画素１０の選択トランジスタ２１を一斉にオンすることで全ての画素電極２４に電位入力を行ってもよい。このような駆動方法とすれば、ディスチャージ動作に要する時間を短縮することができる。かかる駆動方法を用いる場合は、走査線駆動回路１１に、全ての走査線Ｇを一括選択するイネーブル機能が設けられる。
【００５１】
上記ディスチャージ動作が終了したならば、ステップＳ１０３〜Ｓ１０８による画像表示動作が実行される。
まず、ステップＳ１０３では、共通電極電位Ｖcomと容量線電位Ｖｓｓがハイレベル（ＶＨ）に設定される。次いで、ステップＳ１０４において、表示部Ａの全ての画素電極２４にローレベル（ＶＬ）が入力される。そうすると、画素電極２４が相対的に低電位、共通電極２５が相対的に高電位となる。これにより、ステップＳ１０４において、電気泳動素子２６の白色粒子８２が共通電極２５側へ引き寄せられ、図７（ａ）に示すように、表示部Ａの全体が白表示される。
【００５２】
次に、ステップＳ１０５では、全ての画素電極２４にハイレベル（ＶＨ）が入力される。これにより、全ての画素１０において、保持容量２２の画素電極２４と接続された側の電極がハイレベル（ＶＨ）となる。そして、ステップＳ１０３において容量線電位Ｖｓｓはハイレベル（ＶＨ）に設定されているので、保持容量２２の一対の電極はいずれもハイレベル（ＶＨ）となり、ステップＳ１０４において保持容量２２に蓄積されていた電荷が解放される。
【００５３】
次に、ステップＳ１０６では、共通電極電位Ｖcomと容量線電位Ｖｓｓがローレベル（ＶＬ）に設定される。その上で、ステップＳ１０７において、黒画像の書き込みがなされる。具体的には、ステップＳ１０７において、図７（ｂ）に示す表示画像に対応する画像データがコントローラー３に入力される。コントローラー３の制御のもと、走査線駆動回路１１及びデータ線駆動回路１２により表示部Ａの画素１０に対して画像信号の入力が行われる。
【００５４】
図８に示すように、黒表示する画素１０では、画素電極２４の電位Ｖｐ１がハイレベル（ＶＨ）に設定される。これにより、画素電極２４（ハイレベル）と共通電極２５（ローレベル）との電位差により電気泳動素子２６の黒色粒子８３が共通電極２５側へ引き寄せられ、画素１０が黒表示される。
一方、白表示する画素１０では、画素電極２４の電位Ｖｐ２がローレベル（ＶＬ）に設定される。そうすると、画素電極２４と共通電極２５とは同電位になるため電気泳動素子２６は動作せず、白表示が維持される。
以上により、図７（ｂ）に示すように、表示部Ａに白表示の画素１０と黒表示の画素１０とからなる画像が形成される。
【００５５】
次に、ステップＳ１０８では、全ての画素電極２４にローレベル（ＶＬ）が入力される。これにより、全ての画素１０において、画素電極２４と接続された保持容量２２の電極がローレベル（ＶＬ）となる。そして、ステップＳ１０６において容量線電位Ｖｓｓはローレベル（ＶＬ）に設定されているので、保持容量２２の一対の電極はいずれもローレベル（ＶＬ）となり、ステップＳ１０７において保持容量２２に蓄積されていた電荷が解放される。
【００５６】
以上の動作により、表示部Ａに任意の画像データに基づく画像を表示させることができる。
なお、表示部Ａの表示画像を更新する場合には、ステップＳ１０８において保持容量２２のディスチャージが完了しているので、図６に示すステップＳ１０３〜Ｓ１０８を再度実行すればよい。
【００５７】
また本実施形態の駆動方法は、表示部Ａの一部領域のみを書き換える部分書き換え動作を行う場合にも、ステップＳ１０４、Ｓ１０７における画像表示動作の対象とする領域を変更するのみで対応可能である。
以下、かかる部分書き換え動作について、簡単に説明する。以下では、図７（ｂ）に示す表示状態から、図７（ｃ）に示す表示状態（ウィンドウＷが表示された状態）に移行させる場合について説明する。
【００５８】
図７（ｃ）に示す例では、ウィンドウＷが表示される領域は、走査線Ｇの１０１行から２００行の範囲である。部分書き換え動作では、この１０１行〜２００行の範囲を部分書き換え領域として設定する。そして、図７（ｂ）に示した画像を表示させる動作においてステップＳ１０８までが終了しているので、部分書換動作では、ステップＳ１０３からが再実行される。
【００５９】
まず、ステップＳ１０３で共通電極電位Ｖcom及び容量線電位Ｖｓｓがハイレベル（ＶＨ）に設定される。
次に、ステップＳ１０４において、コントローラー３は、開始行が１０１行で終了行が２００行であることを示す制御信号を走査線駆動回路１１に供給する。そうすると、走査線駆動回路１１は走査線Ｇ１０１からＧ２００までを順次選択する。そして、コントローラー３の制御のもと、データ線駆動回路１２は、走査線駆動回路１１の選択動作に同期してデータ線Ｓにローレベル（ＶＬ）の画像信号を供給する。これにより、１０１行〜２００行の部分書き換え領域を白表示させ、以前に表示されていた画像を消去することができる。
なお、ステップＳ１０４において、走査線駆動回路１１により走査線Ｇ１０１からＧ２００までを一括して選択状態とする一方、それ以外の走査線Ｇ１〜Ｇ１００、Ｇ２０１〜Ｇｍは非選択状態としてもよい。この状態で、データ線駆動回路１２から走査線Ｇにローレベル（ＶＬ）の画像信号を供給すれば、走査線Ｇ１０１からＧ２００に属する画素１０に一括して画像信号を入力することができる。
【００６０】
次に、ステップＳ１０５において保持容量２２のディスチャージ動作が行われた後、ステップＳ１０６で共通電極電位Ｖcom及び容量線電位Ｖｓｓがローレベル（ＶＬ）に設定される。
その後、ステップＳ１０７において、コントローラー３にウィンドウＷに対応する画像データが入力される。コントローラー３は、開始行が１０１行で終了行が２００行であることを示す制御信号を走査線駆動回路１１に供給する。走査線駆動回路１１は走査線Ｇ１０１からＧ２００までを順次選択し、それ以外の走査線Ｇ１〜Ｇ１００、Ｇ２０１〜Ｇｍは非選択状態とする。そして、コントローラー３の制御のもと、走査線駆動回路１１による選択動作に同期してデータ線駆動回路１２からローレベル（ＶＬ）又はハイレベル（ＶＨ）の画像信号がデータ線Ｓに供給される。これにより、１０１行〜２００行の部分書き換え領域の画素１０を白表示又は黒表示させ、部分書き換え領域にウィンドウＷを表示させることができる。
【００６１】
以上に詳細に説明したように、本実施形態の電気泳動表示装置の駆動方法では、共通電極電位Ｖcomを変更すると同時に、容量線電位Ｖｓｓを共通電極電位Ｖcomと同電位に変更している（ステップＳ１０３、Ｓ１０６）。これにより、共通電極電位Ｖcomを変更したときに保持容量２２の充電量が変化しなくなるので、図１２に示した画素電極２４の波形遅延を抑制することができる。したがって、ＣＯＭ振り駆動に伴う電気泳動素子２６への意図しない電圧印加を抑制することができる。その結果、画像の劣化を抑制することができるとともに、表示部Ａ上下（図２Ｙ軸方向；走査方向）でのコントラスト差を抑えることができる。また、表示部Ａの上下で電気泳動素子２６の電圧印加履歴に差異が生じるのを防止でき、電気泳動素子２６の劣化を抑制することができる。
【００６２】
また本実施形態では、ステップＳ１０４、Ｓ１０７において表示部Ａへの画像表示動作を行った後に、ステップＳ１０５、Ｓ１０８において保持容量２２のディスチャージを行っている。保持容量２２が充電された状態で容量線電位Ｖｓｓを変更すると、画素電極２４の電位に保持容量２２の充電電位が上乗せされる。そのため、画素電極２４が意図しない高電位になって選択トランジスタ２１の耐圧を超え、選択トランジスタ２１が破損するおそれがある。そこで本実施形態では、容量線電位Ｖｓｓを変更する前にディスチャージ動作を行うことで、容量線電位Ｖｓｓを変更したときに画素電極２４の電位が変化するのを防止している。
【００６３】
なお、ディスチャージ動作では、容量線電位Ｖｓｓの変更時に画素電極２４の電位が選択トランジスタ２１の耐圧を超えないようにすればよく、保持容量２２を完全に放電する（電位差０Ｖとする）必要はない。例えば、ステップＳ１０５では、全ての画素電極２４にハイレベル（ＶＨ；１５Ｖ）を入力することとしたが、選択トランジスタ２１の耐圧が比較的高い場合には、例えば１０Ｖ程度の電位を入力することとしてもよい。
【００６４】
また、本実施形態の駆動方法によれば、表示部Ａの一部領域のみを書き換える部分書き換え動作に際しても、共通電極電位Ｖcomを変更すると同時に、容量線電位Ｖｓｓを共通電極電位Ｖcomと同電位に変更している（ステップＳ１０３、Ｓ１０６）。
部分書き換え動作では、部分書き換え領域以外の画素電極２４は、選択トランジスタ２１がオフされたハイインピーダンス状態（Ｈｉ−Ｚ）となっているため、共通電極電位Ｖcomを変更するときに画素電極２４に波形遅延が生じ、部分書き換え領域以外の表示部Ａが全体的に白っぽくなったり、黒っぽくなる。そして、このように劣化した画像がこの領域を書き換えるまでの間表示され続けるため、表示品質上の問題となる。
これに対して、本実施形態の駆動方法では、共通電極電位Ｖcomに連動して容量線電位Ｖｓｓを変更することで、共通電極電位Ｖcomを変更したときに画素電極２４に波形遅延が生じるのを防止でき、部分書き換え領域以外の表示部Ａにおける画像の劣化を効果的に防止することができる。
【００６５】
また本実施形態の電気泳動表示装置１では、共通電極２５に電位を供給する共通電極駆動回路５と、容量線Ｃに電位を供給する容量線駆動回路６とが別々の回路として設けられている。共通電極２５及び容量線Ｃは全ての画素１０で共通であるため、１つの駆動回路から電位を供給する構成とすると、特に大型パネルにおいて駆動回路の負荷が大きくなる。これに対して、本実施形態のように別々の回路とすれば、負荷を分散させることができ、大型パネルであっても安定に電位供給することが可能である。
【００６６】
なお、本実施形態では、共通電極電位Ｖcomに同期させて容量線電位Ｖｓｓを変更することとしたが、容量線電位Ｖｓｓを変更するタイミングを、共通電極電位Ｖcomを変更するタイミングからずらしてもよい。すなわち、共通電極電位Ｖcomを変更する前又は後に容量線電位Ｖｓｓを変更してもよい。このような駆動方法とすることで、共通電極駆動回路５と容量線駆動回路６の動作タイミングをずらすことができ、電気泳動表示装置１のピーク電流を低下させることができる。
ただし、共通電極電位Ｖcomを変更した後、容量線電位Ｖｓｓを変更するまでの期間には、図１２に示した画素電極２４の波形遅延が発生するため、タイミングをずらせる許容範囲は、波形遅延による表示劣化が生じない範囲とされる。
【００６７】
また本実施形態では、共通電極駆動回路５がＤＡＣ５１とオペアンプ５２を備えた構成とされる一方、容量線駆動回路６はスイッチ回路６０により構成されている。
共通電極２５の電位は、階調駆動などのために任意の電位に設定できることが望ましいが、十分な電流供給能力を有するオペアンプは大型で消費電力が大きいため、小型で低消費電力のものを設けることが困難である。一方、容量線電位Ｖｓｓは、必ずしも共通電極電位Ｖcomと等しくなくてもよく、ＣＯＭ振り駆動に伴って生じる画素電極２４と共通電極２５との電位差が、電気泳動素子２６が駆動されない程度にまで小さい範囲であれば、容量線電位Ｖｓｓは共通電極電位Ｖcomと多少異なっていてもよい。
そこで本実施形態では、共通電極駆動回路５にＤＡＣ５１及びオペアンプ５２を設けることで、共通電極２５に任意の電位を十分な電流供給能力をもって供給できる構成とする一方、容量線駆動回路６を小型化が容易なスイッチ回路６０により構成した。これにより、各回路に要求される機能を確保しつつ、小型化、低消費電力化を図れる構成を実現した。
【００６８】
また本実施形態では、全画面書き換え動作、部分書き換え動作を問わず、容量線電位Ｖｓｓを共通電極電位Ｖcomに連動させることとして説明したが、これに限られるものではない。
例えば、全画面書き換え動作では、容量線電位Ｖｓｓを共通電極電位Ｖcomによらず一定の電位とする一方、部分書き換え動作では容量線電位Ｖｓｓと共通電極電位Ｖcomとを連動させる駆動方法を採用してもよい。
全面書き換え動作では表示部Ａの全体の表示が更新されるため、表示部Ａ上下でのコントラスト差が許容範囲である場合には表示品質上の問題とはならない。これに対して部分書き換え動作では、すでに表示されている画像に劣化が生じるため、表示品質上の問題となりやすい。そこで上記のように部分書き換え動作においてのみ容量線電位Ｖｓｓと共通電極電位Ｖcomとを連動させることとすれば、容量線Ｃの電位を変更する際の寄生容量の充電による電流消費を抑えることができる。
また、容量線電位Ｖｓｓを変更しない場合には、ステップＳ１０５、Ｓ１０８のディスチャージ動作も不要となるため、全画面書き換え動作における電力消費をさらに抑えることができ、表示速度も向上させることができる。
【００６９】
さらに、容量線電位Ｖｓｓと共通電極電位Ｖcomとを独立に設定できる（容量線Ｃと共通電極２５とが絶縁されている）構成である場合には、画像消去動作を効率良く実行できるという利点が得られる。以下、かかる画像消去動作について、図１３を参照しつつ詳細に説明する。
図１３（ａ）は、表示部Ａの全面を白表示する白消去動作の他の構成を示すフローチャートであり、図１３（ｂ）は、表示部Ａの全面を黒表示する黒消去動作の他の構成を示すフローチャートである。
【００７０】
＜白消去動作＞
まず、図１３（ａ）に示す白消去動作は、共通電極電位Ｖcomと容量線電位Ｖｓｓとを１５Ｖに設定するステップＳ２０１と、全ての画素電極２４に０Ｖを書き込むステップＳ２０２と、容量線電位Ｖｓｓを０Ｖに設定するステップＳ２０３とを含む。
具体的には、ステップＳ２０１において共通電極２５に１５Ｖ（第１の電位）が入力され、ステップＳ２０２において画素電極２４に０Ｖ（第２の電位）が入力される。これにより、表示部Ａの全ての画素１０に対して、画素１０を白表示させる電位が入力される（電位入力動作）。また、ステップＳ２０１において容量線Ｃに１５Ｖ（第１の電位）が入力され、ステップＳ２０２において画素電極２４に０Ｖ（第２の電位）が入力されることで保持容量２２が充電される。
【００７１】
そして、本例の場合、ステップＳ２０３において、容量線Ｃに０Ｖ（第２の電位）が入力される。このように充電状態の保持容量２２の一方の電極（容量線Ｃと接続された電極）の電位が、１５Ｖから０Ｖに変化すると、保持容量２２の他方の電極（画素電極２４）の電位もほぼ１５Ｖ低下し、０Ｖからほぼ−１５Ｖに変化する。
このとき、共通電極２５の電位は１５Ｖのまま維持されているため、画素電極２４と共通電極２５との電位差がほぼ３０Ｖとなり、電位入力動作時における電位差（１５Ｖ）の約２倍になる（昇圧動作）。
【００７２】
このように、本例の白消去動作によれば、電気泳動素子２６にほぼ２倍の電圧を印加することができるため、短時間に画像消去動作を実行することができる。かかる白消去動作は、図６を参照して先に説明したステップＳ１０３、Ｓ１０４に代えて適用することができる。本例の白消去動作を採用することで、画像表示動作全体の所要時間も短縮することができ、高速な画像表示動作を実現できる。
【００７３】
また、本例の場合、画素電極２４や共通電極２５、容量線Ｃに入力される電位は、第１の電位（１５Ｖ）と第２の電位（０Ｖ）の２種類であり、先に説明した画像表示動作において用いられる２種類の電位と共通のものである。したがって、高速な画像消去動作を実現するために別途電源電位を用意する必要が無く、電源の構成を複雑化することなく実現することができる。また、ステップＳ２０３において電気泳動素子２６に印加されることとなる電圧を外部から直接印加する場合と比較して、共通電極２５、画素電極２４、又は容量線Ｃに入力する電位を低く抑えることができるため、電気光学装置全体の消費電力を低減することができる。
【００７４】
＜黒消去動作＞
次に、図１３（ｂ）に示す黒消去動作は、共通電極電位Ｖcomと容量線電位Ｖｓｓとを０Ｖに設定するステップＳ３０１と、全ての画素電極２４に１５Ｖを書き込むステップＳ３０２と、容量線電位Ｖｓｓを１５Ｖに設定するステップＳ３０３とを含む。
具体的には、ステップＳ３０１において共通電極２５に０Ｖ（第１の電位）が入力され、ステップＳ３０２において画素電極２４に１５Ｖ（第２の電位）が入力される。これにより、表示部Ａの全ての画素１０に対して、画素１０を黒表示させる電位が入力される（電位入力動作）。また、ステップＳ３０１において容量線Ｃに０Ｖ（第１の電位）が入力され、ステップＳ３０２において画素電極２４に１５Ｖ（第２の電位）が入力されることで、保持容量２２が充電される。
【００７５】
そして、本例の場合、ステップＳ３０３において、容量線Ｃに１５Ｖ（第２の電位）が入力される。このように充電状態の保持容量２２の一方の電極（容量線Ｃと接続された電極）の電位が、０Ｖから１５Ｖに変化すると、保持容量２２の他方の電極（画素電極２４）の電位もほぼ１５Ｖ上昇し、１５Ｖからほぼ３０Ｖに変化する。
このとき、共通電極２５の電位は０Ｖのまま維持されているため、画素電極２４と共通電極２５との電位差がほぼ３０Ｖとなり、電位入力動作時における電位差（１５Ｖ）の約２倍になる（昇圧動作）。
【００７６】
このように本例によれば、黒消去動作においても電気泳動素子２６にほぼ２倍の電圧を印加することができるため、短時間に画像消去動作を実行することができる。かかる黒消去動作は、図６を参照して先に説明したステップＳ１０３、Ｓ１０４に代えて適用することができ、続くステップＳ１０６〜Ｓ１０７において白画像書き込みを行えば、先の実施形態と同様に画像を表示させることができる。そして、本例の黒消去動作を採用することで、画像表示動作全体の所要時間も短縮することができ、高速な画像表示動作を実現できる。
【００７７】
なお、以上に説明した白消去動作及び黒消去動作では、ステップＳ２０３、Ｓ３０３において、容量線Ｃに第２の電位を入力することとしたが、ステップＳ２０３、Ｓ３０３において第２の電位と異なる第３の電位を入力することとしてもよい。第３の電位としては、ステップＳ２０３、Ｓ３０３の実行により電気泳動素子２６への印加電圧を昇圧できる電位であれば、任意の電位とすることができる。
【００７８】
具体的に、図１３（ａ）に示した白消去動作では、容量線Ｃの電位を低下させることで電気泳動素子２６への印加電圧を昇圧できるため、第３の電位は、少なくとも第１の電位（１５Ｖ）よりも低い電位であればよく、第３の電位の下限値は、選択トランジスタ２１に耐圧を超える電圧が印加されない範囲で設定すればよい。
一方、図１３（ｂ）に示した黒表示動作では、第３の電位は少なくとも第１の電位（０Ｖ）よりも高い電位であればよく、選択トランジスタ２１に耐圧を超える電圧が印加されない範囲に上限値を設定すればよい。
【００７９】
なお、ステップＳ２０３、Ｓ３０３において容量線Ｃに第２の電位を入力することとすれば、第１及び第２の電位と異なる第３の電位を用いる場合に比して電源電位の種類を少なくでき、電源を簡素化することができるという利点がある。
【００８０】
なお、上記実施の形態では、共通電極２５に共通電極駆動回路５が接続され、容量線Ｃに容量線駆動回路６が接続されている構成について説明したが、図９に示す画素回路を採用してもよい。
図９に示す画素回路では、保持容量２２の一方の電極と共通電極２５とが接続されている。このような構成とすることで、保持容量２２の電位を制御する電源と共通電極２５を駆動する電源を１つにすることができ、簡素な構成の電気泳動表示装置とすることができる。保持容量２２の電極と共通電極２５の接続形態は、任意の形態とすることができ、例えば表示体２において容量線Ｃと共通電極２５とを接続してもよく、表示体２の外部に設けられる共通電極駆動回路５と容量線駆動回路６とを一体の駆動回路としてもよい。
【００８１】
（電子機器）
次に、上記実施形態の電気泳動表示装置１を、電子機器に適用した場合について説明する。
図１０（ａ）は電子ペーパー１１００の構成を示す斜視図である。電子ペーパー１１００は、上記実施形態の電気泳動表示装置１を表示領域１１０１に備えている。電子ペーパー１１００は可撓性を有し、従来の紙と同様の質感及び柔軟性を有する書き換え可能なシートからなる本体１１０２を備えて構成されている。
【００８２】
図１０（ｂ）は、電子ノート１２００の構成を示す斜視図である。電子ノート１２００は、上記の電子ペーパー１１００が複数枚束ねられ、カバー１２０１に挟まれているものである。カバー１２０１は、例えば外部の装置から送られる表示データを入力する図示は省略の表示データ入力手段を備える。これにより、その表示データに応じて、電子ペーパーが束ねられた状態のまま、表示内容の変更や更新を行うことができる。
【００８３】
以上の電子ペーパー１１００及び電子ノート１２００によれば、本発明に係る電気泳動表示装置１が採用されているので、表示品位に優れた表示部を備えた電子機器となる。
なお、上記の電子機器は、本発明に係る電子機器を例示するものであって、本発明の技術範囲を限定するものではない。例えば、携帯電話、携帯用オーディオ機器などの電子機器の表示部にも、本発明に係る電気泳動表示装置は好適に用いることができる。また、電子機器に組み込む電気泳動表示装置は、柔軟性を持たない構成であってもよい。
【符号の説明】
【００８４】
１  電気泳動表示装置、２  表示体、３  コントローラー（制御部）、４  ＶＲＡＭ、５  共通電極駆動回路、６  容量線駆動回路、Ａ  表示部、Ｃ  容量線、Ｇ  走査線、Ｓ  データ線、Ｗ  ウィンドウ、１０  画素、１１  走査線駆動回路、１２  データ線駆動回路、２１  選択トランジスタ、２２  保持容量、２４  画素電極、２５  共通電極、２６  電気泳動素子、２８  素子基板、２９  対向基板、３０  バインダー、３１  接着層、５１  ＤＡＣ（波形生成回路）、５２  オペアンプ（電流増幅回路）、６０  スイッチ回路
【図１】
2010244001.tif 000003
【図２】
2010244001.tif 000004
【図３】
2010244001.tif 000005
【図４】
2010244001.tif 000006
【図５】
2010244001.tif 000007
【図６】
2010244001.tif 000008
【図７】
2010244001.tif 000009
【図８】
2010244001.tif 000010
【図９】
2010244001.tif 000011
【図１０】
2010244001.tif 000012
【図１１】
2010244001.tif 000013
【図１２】
2010244001.tif 000014
【図１３】
2010244001.tif 000015